(57)【要約】      （修正有）【課題】マイク用の複数のコネクタを備えた録音装置であって、より小型化が可能な録音装置を提供する。【解決手段】マイクが接続されるコネクタ２０が複数設けられた録音装置であって、各コネクタ２０は、対応するバランス入力回路が形成された基板３０ｒ上において当該基板３０ｒに直交する方向に立脚するように実装され、基板３０ｒ側に位置する小径部３８と、小径部３８より大径かつ基板３０ｒから離れた側に位置する大径部４０と、を有し、互いに隣接するコネクタ２０の小径部３８と小径部３８との間には、直流電流遮断のために前記基板３０ｒに実装されたコンデンサ３２が配置される。【選択図】図５
0003195538.tif 000002
【実用新案登録請求の範囲】
【請求項１】
マイクが接続されるコネクタが複数設けられた録音装置であって、
各コネクタは、対応するバランス入力回路が形成された基板上において当該基板に直交する方向に立脚するように実装され、前記基板側に位置する小径部と、前記小径部より大径かつ基板から離れた側に位置する大径部と、を有し、
互いに隣接するコネクタの小径部と小径部との間には、直流電流遮断のために前記基板に実装されたコンデンサが配置される、
ことを特徴とする録音装置。
【請求項２】
請求項１に記載の録音装置であって、
前記複数のコネクタは、それぞれの大径部が、互いに接触または近接するように配置される、ことを特徴とする録音装置。
【請求項３】
請求項１または２に記載の録音装置であって、
前記バランス入力回路は、ファントム電源の給電回路を含む、ことを特徴とする録音装置。
【請求項４】
請求項１から３のいずれか１項に記載の録音装置であって、
前記コンデンサの容量は、前記バランス入力回路のインピーダンスとの間に形成されるハイパスフィルタが、通過帯域として可聴帯域を含む容量である、ことを特徴とする録音装置。
【考案の詳細な説明】
【技術分野】
【０００１】
本考案は、マイクが接続されるコネクタを複数備えた録音装置に関する。
【背景技術】
【０００２】
従来から、マイクで収集された音声信号を、内蔵または外付けの記録媒体に記録する録音装置が広く知られている。こうした録音装置には、マイクと録音装置とを電気的に接続するためのコネクタが設けられている。
【０００３】
かかるマイク用のコネクタは、基板上に形成された信号を処理するためのバランス入力回路と電気的に接続されている。バランス入力回路には、マイクアンプや、マイク（たとえばコンデンサマイク）にファントム電源を給電するファントム電源回路や、直流電流を遮断するためのコンデンサ等が組み込まれている。
【先行技術文献】
【特許文献】
【０００４】
【特許文献１】特開２０１０−９８６３２号公報
【考案の概要】
【考案が解決しようとする課題】
【０００５】
ここで、マイクにファントム電源を給電する装置においては、バランス入力回路に設けられるコンデンサは、高耐圧であることが求められる。また、バランス入力回路のインピーダンスとコンデンサでハイパスフィルタが形成されるため、コンデンサ容量が小さいと、低周波数の信号特性に影響を与える。そのため、可聴帯域の音声信号を取り扱う装置においては、高耐圧で大容量のコンデンサが必要となる。しかしながら、こうした条件を満たすコンデンサは、ボディサイズが大きくなり、録音装置の小型化の障害となっていた。特に、小型化の要望が強いポータブルの録音装置において、複数のコネクタを設けようとした場合、複数のコンデンサの設置スペースは大きな問題となっていた。
【０００６】
なお、特許文献１には、二つのコネクタを同軸線上に一列に並べ、この二つのコネクタの間に基板を配置し、この基板上に直流遮断用のコンデンサを配置した構成が開示されている。この場合、基板上において、コンデンサだけが突出した状態となり、このコンデンサだけのために、基板の上に広い空間を確保しなければならず、大きなデッドスペースが発生していた。また、特許文献１では、二つのコネクタを同軸線上に並べなければならず、配置上の制約が多かった。
【０００７】
そこで、本考案では、マイク用の複数のコネクタを備えた録音装置であって、より小型化が可能な録音装置を提供することを目的とする。
【課題を解決するための手段】
【０００８】
本考案の録音装置は、マイクが接続されるコネクタが複数設けられた録音装置であって、各コネクタは、対応するバランス入力回路が形成された基板上において当該基板に直交する方向に立脚するように実装され、前記基板側に位置する小径部と、前記小径部より大径かつ基板から離れた側に位置する大径部と、を有し、互いに隣接するコネクタの小径部と小径部との間には、直流電流遮断のために前記基板に実装されたコンデンサが配置される、ことを特徴とする。
【０００９】
好適な態様では、前記複数のコネクタは、それぞれの大径部が、互いに接触または近接するように配置される。他の好適な態様では、前記バランス入力回路は、ファントム電源の給電回路を含む。他の好適な態様では、前記コンデンサの容量は、前記バランス入力回路のインピーダンスとの間に形成されるハイパスフィルタが、通過帯域として可聴帯域を含む容量である。
【考案の効果】
【００１０】
本考案によれば、互いに隣接するコネクタの小径部間に直流電流遮断のためのコンデンサを配置しているため、より小型化が可能となる。
【図面の簡単な説明】
【００１１】
【図１】本考案の実施形態である録音装置の正面図である。
【図２】録音装置の右側面図である。
【図３】録音装置の左側面図である。
【図４】録音装置の底面パネルを取り外した状態での底面図である。
【図５】複数のマイク入力コネクタおよび回路基板のみを取り出した図である。
【考案を実施するための形態】
【００１２】
以下、本考案の実施形態について図面を参照して説明する。図１は、本考案の実施形態である録音装置１０の正面図である。また、図２は、録音装置１０の右側面図、図３は、録音装置１０の左側面図である。また、図４は、録音装置１０の底面パネルを取り外した状態での底面図である。
【００１３】
この録音装置１０は、デジタル一眼レフカメラとともに使用されることを想定した録音装置である。デジタル一眼レフカメラでの動画撮影と連動して、当該録音装置１０で音声を録音することで、より高音質な動画撮影を可能にする。この録音装置１０は、平べったい箱型の筐体を有している。録音装置１０の底面には、三脚等に取り付けるための取り付け用孔（図示せず）が形成されている。また、録音装置１０の天面には、デジタル一眼レフカメラを取り付けるためのブラケット１２や、ネジ１３が設けられている。
【００１４】
録音装置１０の前面には、各種情報を表示するディスプレイ１４や、ユーザからの操作を受け付ける操作パネル１６が設けられている。操作パネル１６には、各種設定画面での項目の選択や値の変更を行うためのダイヤルスイッチ１６ａや、録音の開始を指示するための録音スイッチ１６ｂ、後述する各種マイク入力コネクタ２０を介して入力される音声信号の入力レベルを調節するための調節ツマミ１６ｃ等が設けられている。また、調節ツマミ１６ｃの近傍には、対応するマイク入力コネクタ２０からの入力レベルが大きくなって歪む直前に点灯するピークインジケータ１６ｄも設けられている。
【００１５】
録音により得られた音声データは、記録媒体、例えば、ＳＤカードに保存される。録音装置１０の背面には、ＳＤカードの挿入スロット（図示せず）が設けられている。ただし、当然のことながら、音声データは、他の記録装置、例えば、ハードディスクやＵＳＢメモリ等に保存されてもよい。
【００１６】
録音装置１０の側面には、電源ボタン１８や、複数のコネクタ２０〜２８が設けられている。コネクタの種類と個数は、録音装置１０の使用によって適宜変更可能であるが、本実施形態では、デジタルカメラとの間で音声信号を送受するためのカメラ入力端子２２およびカメラ出力端子２４や、ヘッドホンを接続するためのＰＨＯＮＥＳ端子２６、パソコン等の情報機器と接続するためのＵＳＢ端子２８、および、四つのマイク入力コネクタ２０等が設けられている。
【００１７】
マイク入力コネクタ２０は、コンデンサマイク等が接続され、音声信号の入力を受け付けるコネクタである。マイク入力コネクタ２０は、いずれも、ＸＲＬバランスタイプのアナログマイク入力端子およびＴＲＳ標準ジャックのバランスアナログ入力端子として機能する。また、マイク入力コネクタ２０は、いずれも、録音装置１０の筐体内部に構成されたバランス入力回路（図示せず）に、電気的に接続されている。バランス入力回路は、筐体内部に設置された回路基板３０ｒ，３０ｌ上に形成されており、マイクアンプの他、ファントム電源を給電する給電回路や、直流電流を遮断するためのコンデンサ３２等が組み込まれている。
【００１８】
本実施形態では、このマイク入力コネクタ２０を、録音装置１０の右側面に三つ、左側面に一つ、合計四つ設けている。右側面において、三つのマイク入力コネクタ２０は、所定の間隔を開けて一列に並んでいる。四つのマイク入力コネクタ２０は、いずれも、筐体内部に設けられた回路基板３０ｒ，３０ｌに実装されている。右側面に設けられた三つのマイク入力コネクタ２０は、いずれも、共通の回路基板３０ｒに実装されており、各マイク入力コネクタ２０は、回路基板３０ｒに略直交する方向に立脚するように実装されている。左側面に設けられたマイク入力コネクタ２０は、三つのマイク入力コネクタ２０とは別の回路基板３０ｌに取り付けられ、当該回路基板３０ｌに略直交する方向に立脚している。
【００１９】
回路基板３０ｒ，３０ｌにはさらに、コンデンサ３２も設けられている。このコンデンサ３２は、バランス入力回路に直流電流が流れることを防止するためにバランス入力回路内に組み込まれたコンデンサ３２である。なお、図４では、全部で三つのコンデンサ３２しか見えていないが、実際には、マイク入力コネクタ２０の個数と同じく、四つのコンデンサ３２が存在する。
【００２０】
このコンデンサ３２は、バランス入力回路を構成する各種電子素子の中でも比較的大型の素子となる。直流電流遮断用のコンデンサ３２が、このように大型化する理由の一つにファントム電源がある。バランス入力回路は、接続されたコンデンサマイクにファントム電源（４８Ｖ〜１４Ｖ程度）を給電する関係上、直流電流遮断用のコンデンサ３２は、比較的高耐圧であることが要求される。また、バランス入力回路のインピーダンスとこのコンデンサ３２とでハイパスフィルタが構成されるが、このコンデンサ３２の容量が小さいと当該ハイパスフィルタの通過帯域が狭くなり、低周波の信号特性に影響を与えるおそれがある。バランス入力回路のインピーダンスとコンデンサ３２とで形成されるハイパスフィルタの通過帯域が可聴帯域を含ませるためには、コンデンサ３２は、比較的、大容量でなければならない。つまり、直流電流遮断用のコンデンサ３２は、高耐圧で大容量であることが求められるが、かかる条件を満たすコンデンサ３２は、ボディサイズが大きくなる。
【００２１】
こうした大型のコンデンサ３２は、録音装置１０の小型化において大きな問題となっていた。特に、本録音装置１０は、デジタル一眼レフカメラとともに使用されることを想定していることから、自由に持ち運びが可能であるとともに、さらなる小型化が強く望まれている。一方で、録音装置１０は、多彩な録音シーンを可能にするために、複数のマイク入力コネクタ２０を搭載することも求められている。このように、複数のマイク入力コネクタ２０を有し、かつ、小型化が必要とされる録音装置１０においては、直流電流遮断用のコンデンサ３２の設置スペースは、大きな問題であった。
【００２２】
本実施形態では、複数のマイク入力コネクタ２０を設けつつも、録音装置１０を小型化するために、一部の直流電流遮断用のコンデンサ３２を、マイク入力コネクタ２０間に設置している。これについて図５を参照して説明する。図５は、右側面に設けられた三つのマイク入力コネクタ２０および回路基板３０ｒを取り出した図であり、上段はマイク入力コネクタ２０を正面から、下段はマイク入力コネクタ２０を側面から見た図である。
【００２３】
各マイク入力コネクタ２０は、略円筒形のハウジング３３を有しており、このハウジング３３の内部に電気信号を送受するためのコンタクト部（図示せず）が形成されている。マイク入力コネクタ２０の基端は、回路基板３０ｒに固着されている。マイク入力コネクタ２０の先端には、オスコネクタが挿し込まれる挿し込み孔３４（挿し込みジャック）が形成されている。マイク入力コネクタ２０の先端近傍には、外側に張り出すフランジ３６が形成されている。このフランジ３６には、筐体を構成するパネルに当該マイク入力コネクタ２０を螺合締結するための取り付け孔３６ａが形成されている。ハウジング３３は、この取り付け孔３６ａのスペースを確保する等の関係上、先端側は、基端側よりも大径となっている。すなわち、本実施形態のマイク入力コネクタ２０は、基端側（回路基板３０ｒ側）に位置する小径部３８と、先端側（挿し込みジャック側）に位置する大径部４０と、に大別される。
【００２４】
このように大径部４０および小径部３８を有するマイク入力コネクタ２０を近接して並べた場合、マイク入力コネクタ２０の基端部（小径部３８）と、隣接するマイク入力コネクタ２０の基端部（小径部３８）との間には、間隙が生じる。この間隙は、マイク入力コネクタ２０の先端部（大径部４０）と、隣接するマイク入力コネクタ２０の先端部（大径部４０）と、を近接して配置したとしても、必ず生じる。いわば、この間隙は、複数のコネクタを配設した場合には、どうしても生じるデッドスペースである。本実施形態では、この小径部３８間に生じる間隙に、直流電流遮断用のコンデンサ３２を配置している。かかる構成とすることで、直流電流遮断用のコンデンサ３２設置のために、専用スペースを設ける必要がなくなり、回路基板３０ｒへの部品実装面積の省スペース化が達成でき、ひいては、録音装置１０の小型化が可能となる。また、回路基板３０ｒから筐体右側面パネルまでの距離は、マイク入力コネクタ２０の軸方向長さに応じて定まるが、コンデンサ３２の回路基板３０ｒからの突出高さは、この回路基板３０ｒから筐体右側面パネルまでの距離内に完全に収まる高さである。そのため、マイク入力コネクタ２０以外の高さ領域の確保が不要となり、ひいては、デッドスペースの発生を防止できる。
【００２５】
なお、これまで説明した構成は、一例であり、大径部４０と小径部３８を有するマイク入力コネクタ２０を、回路基板３０ｒに対して略直交する方向に立脚するように実装し、互いに隣接するマイク入力コネクタ２０の小径部３８間に、直流電流遮断用のコンデンサ３２を設置するのであれば、その他の構成は、適宜、変更されてもよい。
【００２６】
例えば、本実施形態では、三つのマイク入力コネクタ２０を一列に並べる構成としているが、マイク入力コネクタ２０は、２以上であれば、その個数は制限されない。また、複数のコネクタは、一列に並べられてもよいし、アレイ状に配設されてもよい。また、マイク入力コネクタ２０は、マイク接続されるコネクタであれば、ＸＬＲ、ＴＲＳ以外の規格に従ったコネクタでもよい。また、複数のマイク入力コネクタ２０は、それぞれの大径部４０が互いに近接または接して配置されることが望ましいが、場合（配置するコンデンサの大きさ等）によっては、ある程度（コンデンサの配置を妨げない程度）離れていてもよい。
【符号の説明】
【００２７】
１０  録音装置、１４  ディスプレイ、１６  操作パネル、２０  マイク入力コネクタ、３０ｒ，３０ｌ  回路基板、３２  コンデンサ、３３  ハウジング、３４  挿し込み孔、３６  フランジ、３８  小径部、４０  大径部。
【図１】
0003195538.tif 000003
【図２】
0003195538.tif 000004
【図３】
0003195538.tif 000005
【図４】
0003195538.tif 000006
【図５】
0003195538.tif 000007
【手続補正書】
【提出日】平成26年11月13日(2014.11.13)
【手続補正１】
【補正対象書類名】図面
【補正対象項目名】図１
【補正方法】変更
【補正の内容】
【図１】
0003195538.tif 000008